(57)【特許請求の範囲】
【請求項１】
底部が設置面に接触した状態で可搬型ガス検知器の充電を行う可搬型ガス検知器の充電器であって、
前記底部以外の外部に露出する部分に設けられた外部電源接続端子と、第１係合部とを含む第１部分と、
前記第１係合部と係合可能な第２係合部を含む第２部分と、
前記第１部分の前記第１係合部と前記第２部分の前記第２係合部とが係合されることにより構成され、前記可搬型ガス検知器をセットするためのセット部とを備え、
前記第１係合部および前記第２係合部が第１係合状態で係合される第１の状態と、前記第１係合部および前記第２係合部が第２係合状態で係合される第２の状態とを切り替えることによって、前記セット部の水平方向の長さを前記第１の状態に対応する第１長さと、前記第２の状態に対応するとともに前記第１長さよりも大きい第２長さとに切り替え可能なように構成されている、可搬型ガス検知器の充電器。
【請求項２】
前記第１部分および前記第２部分を前記第１の状態および前記第２の状態のそれぞれにおいて固定する固定部材をさらに備える、請求項１に記載の可搬型ガス検知器の充電器。
【請求項３】
前記第１部分および前記第２部分の一方は、凸状のガイドレール部を含み、
前記ガイドレール部には、前記第１係合部および前記第２係合部の一方が設けられ、
前記第１部分および前記第２部分の他方は、前記ガイドレール部に嵌合するレール嵌合部を含み、
前記レール嵌合部には、前記第１係合部および前記第２係合部の他方が設けられている、請求項１または２に記載の可搬型ガス検知器の充電器。
【請求項４】
前記第１部分および前記第２部分を含み、同一の構成を有する他の充電器の充電器本体と連結可能な充電器本体をさらに備え、
前記第１部分は、前記充電器本体を前記他の充電器の充電器本体と連結するための連結部と、前記外部電源接続端子とが設けられる側部を含み、
前記第１の状態または前記第２の状態のいずれの状態であっても、前記充電器本体の前記連結部を前記他の充電器の充電器本体の連結部に対して前記水平方向に交差する上下方向に相対的にスライドさせることにより、前記他の充電器と連結可能に構成されている、請求項１〜３のいずれか１項に記載の可搬型ガス検知器の充電器。
【発明の詳細な説明】
【技術分野】
【０００１】
この発明は、可搬型ガス検知器の充電器に関し、特に、可搬型ガス検知器をセットするためのセット部の長さを変更可能な可搬型ガス検知器の充電器に関する。
【背景技術】
【０００２】
従来、可搬型ガス検知器を充電するための充電器が知られている。また電池をセットするためのセット部の長さを変更可能な充電器が知られている（たとえば、特許文献１参照）。
【０００３】
上記特許文献１には、底部に設けられたＡＣブレードと、第１係合部とを含む第１部分と、第１係合部と係合可能な第２係合部を含む第２部分と、第１部分と第２部分とにより構成される電池のセット部とを備える電池の充電器が開示されている。この充電器は、ＡＣブレードがコンセントに差し込まれることにより、外部電源と電気的に接続される。また、この充電器では、第１係合部および第２係合部が第１係合状態（第１係合位置）で係合される第１の状態と、第１係合部および第２係合部が第２係合状態（第２係合位置）で係合される第２の状態とを切り替えるように構成されている。これにより、この充電器では、セット部の長さを第１の状態に対応する第１長さと、第２の状態に対応するとともに第１長さよりも大きい第２長さとに切り替え可能である。
【０００４】
上記特許文献１に記載の電池の充電器では、通常、充電器の底部のＡＣブレードが、壁面に設けられているコンセントに差し込まれて充電が行われると考えられるので、充電器が、壁面（設置面）にぶら下げられた状態で充電が行われる。
【先行技術文献】
【特許文献】
【０００５】
【特許文献１】特開２００８−４１４５０号公報
【発明の概要】
【発明が解決しようとする課題】
【０００６】
上記のように壁面にぶら下げられた状態で、使用される特許文献１の電池の充電器を可搬型ガス検知器の充電器として用いることも考えられる。
【０００７】
しかしながら、可搬型ガス検知器のような電池よりも大きなものを充電する場合には、ＡＣブレード（外部電源接続端子）に充電器および可搬型ガス検知器の重さによる大きな力がかかるため、充電器の設置状態が不安定になると考えられる。このため、セット部の長さを第１長さと、第１長さよりも大きい第２長さとに切り替えることが可能であるものの、安定した設置状態で可搬型ガス検知器の充電が行えない場合がある。
【０００８】
この発明は、上記のような課題を解決するためになされたものであり、この発明の１つの目的は、セット部の長さを第１長さと、第１長さよりも大きい第２長さとに切り替えることが可能であるとともに、かつ、安定した設置状態で可搬型ガス検知器の充電を行うことが可能な可搬型ガス検知器の充電器を提供することである。
【課題を解決するための手段】
【０００９】
この発明の一の局面による可搬型ガス検知器の充電器は、底部が設置面に接触した状態で可搬型ガス検知器の充電を行う可搬型ガス検知器の充電器であって、底部以外の外部に露出する部分に設けられた外部電源接続端子と、第１係合部とを含む第１部分と、第１係合部と係合可能な第２係合部を含む第２部分と、第１部分の第１係合部と第２部分の第２係合部とが係合されることにより構成され、可搬型ガス検知器をセットするためのセット部とを備え、第１係合部および第２係合部が第１係合状態で係合される第１の状態と、第１係合部および第２係合部が第２係合状態で係合される第２の状態とを切り替えることによって、セット部の水平方向の長さを第１の状態に対応する第１長さと、第２の状態に対応するとともに第１長さよりも大きい第２長さとに切り替え可能なように構成されている。
【００１０】
この発明の一の局面による可搬型ガス検知器の充電器では、上記のように構成することによって、床面やテーブルなどの水平な設置面により、セット部の長さを切り替え可能な充電器を支持した状態（充電器を平置き（横置き）にした状態）で充電を行うことができる。これにより、セット部の長さを第１長さと、第１長さよりも大きい第２長さとに切り替えることが可能であるとともに、かつ、安定した設置状態で可搬型ガス検知器の充電を行うことができる。
【００１１】
上記一の局面による可搬型ガス検知器の充電器において、好ましくは、第１部分および第２部分を第１の状態および第２の状態のそれぞれにおいて固定する固定部材をさらに備える。このように構成すれば、第１の状態および第２の状態のそれぞれの状態において、第１部分および第２部分を固定することができる。これにより、第１の状態または第２の状態から、第１部分および第２部分が意図せずにずれるのを抑制することができる。
【００１２】
上記一の局面による可搬型ガス検知器の充電器において、好ましくは、第１部分および第２部分の一方は、凸状のガイドレール部を含み、ガイドレール部には、第１係合部および第２係合部の一方が設けられ、第１部分および第２部分の他方は、ガイドレール部に嵌合するレール嵌合部を含み、レール嵌合部には、第１係合部および第２係合部の他方が設けられている。このように構成すれば、第１の状態または第２の状態のいずれかの状態に切り替えられる際にレール嵌合部によってガイドレール部をガイドすることができる。これにより、第１係合状態または第２係合状態のいずれかの状態になるように第１係合部の位置および第２係合部の位置を容易に位置合わせすることができる。
【００１３】
上記一の局面による可搬型ガス検知器の充電器において、好ましくは、第１部分および第２部分を含み、同一の構成を有する他の充電器の充電器本体と連結可能な充電器本体をさらに備え、第１部分は、充電器本体を他の充電器の充電器本体と連結するための連結部と、外部電源接続端子とが設けられる側部を含み、第１の状態または第２の状態のいずれの状態であっても、充電器本体の連結部を他の充電器の充電器本体の連結部に対して水平方向に交差する上下方向に相対的にスライドさせることにより、他の充電器と連結可能に構成されている。このように構成すれば、たとえば連結された第１の状態の充電器および第２の状態の充電器によって、サイズが異なる複数の可搬型ガス検知器を同時に充電することができる。また、セット部の長さが切り替えられる方向（水平方向）と、隣接する可搬型ガス検知器の充電器を連結する際のスライド方向（上下方向）とを異ならせることができる。これにより、可搬型ガス検知器の充電器が連結された状態において、セット部の長さを切り替えても、可搬型ガス検知器の充電器の連結状態が解除される（可搬型ガス検知器の充電器同士の連結が外れる）のを抑制することができる。
【発明の効果】
【００１４】
本発明によれば、上記のように、セット部の長さを第１長さと、第１長さよりも大きい第２長さとに切り替えることが可能であるとともに、かつ、安定した設置状態で可搬型ガス検知器の充電を行うことができる。
【図面の簡単な説明】
【００１５】
【図１】本発明の一実施形態による可搬型ガス検知器の充電器の分解斜視図である。
【図２】本発明の一実施形態による可搬型ガス検知器の充電器の第１の状態を示した斜視図である。
【図３】本発明の一実施形態による可搬型ガス検知器の充電器の第２の状態を示した斜視図である。
【図４】本発明の一実施形態による可搬型ガス検知器の充電器をＸ２側から見た図である。
【図５】本発明の一実施形態による第１の状態の可搬型ガス検知器の充電器を底部側から見た図である。
【図６】本発明の一実施形態による第２の状態の可搬型ガス検知器の充電器を底部側から見た図である。
【図７】本発明の一実施形態による可搬型ガス検知器の充電器と他の充電器とを連結した状態を示した図である。
【図８】本発明の一実施形態による可搬型ガス検知器の変形例を示した断面図である。
【発明を実施するための形態】
【００１６】
以下、本発明を具体化した実施形態を図面に基づいて説明する。
【００１７】
図１〜図７を参照して、本発明の一実施形態による可搬型ガス検知器の充電器１の全体構成について説明する。
【００１８】
図１に示す本発明の一実施形態による可搬型ガス検知器の充電器（以下、充電器という）１は、可搬型ガス検知器（以下、検知器という）５００をセットして充電するための充電器である。充電器１には、１台の検知器５００が設置され、検知器５００の充電が行われる。
【００１９】
図１に示すように、充電器１の充電器本体２は、平面視において、略長方形に形成されている。検知器５００は、平面視において横長形状に形成されており、充電器本体２にセット可能である。なお、本明細書では、充電器本体２の長手方向をＹ方向といい、短手方向をＸ方向という。
【００２０】
また、充電器本体２のＸ１側端部には、カバー５が着脱可能に設けられている。充電器本体２のＸ２側端部には、カバー６が着脱可能に設けられている。また、充電器本体２と、カバー５および６とは、樹脂により形成されている。樹脂としては、たとえば、難燃グレードのＡＢＳ樹脂（Ａｃｒｙｌｏｎｉｔｒｉｌｅ  Ｂｕｔａｄｉｅｎｅ  Ｓｔｙｒｅｎｅ樹脂）を用いることができる。
【００２１】
また、充電器本体２は、互いに分離可能なＹ２側の第１部分２０と、Ｙ１側の第２部分４０とを含んでいる。充電器本体２は、後述する第１部分２０の第１係合部２７と、後述する第２部分４０の第２係合部２９とが係合されることにより構成され、可搬型ガス検知器５００をセットするためのセット部Ｓを備えている。具体的には、セット部Ｓは、第１部分２０および第２部分４０により挟まれ、第１部分２０および第２部分４０に跨る領域に形成された窪み部である。セット部Ｓにセットされた検知器５００は、規制部２５が検知器５００の複数の側面と当接することによって、Ｘ方向およびＹ方向へ移動が規制される。検知器５００は、長手方向が充電器本体２の長手方向（Ｙ方向）に沿うように充電器１のＹ１側からセット部Ｓにセットされる。検知器５００がセット部Ｓにセットされた状態では、検知器５００の長手方向と充電器本体２の長手方向とが揃っている。検知器５００は、底面（側面よりも面積が大きい面）を下方に向けた横置き状態でセットされる。
【００２２】
また、図２および図３に示すように、充電器１は、異なるサイズの検知器５００をセット可能なようにセット部ＳのＹ方向の長さを変更可能に構成されている。また、充電器１は、図７に示すように、充電器１は、セット部Ｓの長さを変更した状態で、Ｘ１側およびＸ２側に、他の充電器１ａおよび１ｂをそれぞれ連結可能に構成されている。
【００２３】
図１に示すように、充電器本体２は、底部２１と、Ｘ１側の側部２２と、Ｘ２側の側部２３と、Ｙ２側の側部２４と、規制部２５とを備えている。充電器本体２の第１部分２０は、レール嵌合部２６と、第１係合部２７とを備え、第２部分４０は、ガイドレール部２８と、第２係合部２９とを備えている。また、第１部分２０は、充電器検出部３０と、充電端子３１と、外部電源接続端子３２と、連結部３３と、位置決め部３４と、接続端子３５とを備えている。また、第１部分２０は、図４に示すように、連結部３６と、接続端子３７と、逃がし溝部３８と、ＬＥＤ３９（図１参照）とを備えている。
【００２４】
底部２１は、充電器本体２のＺ２側の面である。底部２１は、充電器１が設置された際に設置面９００に接触する平坦面である。底部２１は、充電器本体２の外表面のうち最大面積を有する。充電器１は、底部２１が設置面９００に接触した状態で可搬型ガス検知器５００の充電を行うように構成されている。なお、設置面９００は、たとえば、床面やテーブルなどである。
【００２５】
側部２２は、図１に示すように、充電器本体２のＸ１側端部に設けられている。側部２２は、底部２１に対して垂直方向（Ｚ方向）に延びる面である。
【００２６】
側部２３は、充電器本体２のＸ２側端部に設けられている。側部２３は、側部２２と反対側で、かつ、側部２２と平行に設けられている。側部２３は、底部２１に対して垂直方向（Ｚ方向）に延びる面である。
【００２７】
側部２４は、充電器本体２のＹ２側端部に設けられている。側部２４は、底部２１に対して垂直方向（Ｚ方向）に延びる平坦面である。側部２４は、側部２２および２３に直交するように形成されている。
【００２８】
また、側部２２〜２４は、底部２１以外の外部に露出する部分である。言い換えると、側部２２〜２４は、充電器１の使用状態において、ユーザにより視認可能な部分である。
【００２９】
レール嵌合部２６は、第１部分２０のＺ２側の面に形成されている。レール嵌合部２６は、Ｙ１方向から見て、上方（Ｚ１方向）に凹状に窪んでいる。レール嵌合部２６は、Ｙ方向に沿って、直線状に延びるように形成されている。レール嵌合部２６は、Ｙ１方向から見て、矩形状の断面形状を有している。なお、図１は、説明の便宜上、レール嵌合部２６の一部を省略した部分断面図として図示している。
【００３０】
第１係合部２７は、レール嵌合部２６に設けられている。第１係合部２７は、Ｙ方向に沿って２つ配置されている。具体的には、第１係合部２７は、Ｙ２側の第１係合部２７ａと、Ｙ１側の第１係合部２７ｂとを含んでいる。第１係合部２７は、レール嵌合部２６のＺ２側の面から下方に向けて凸状に突出するように形成されている。第１係合部２７は、下方（Ｚ２方向）に向けて突出する筒状の部材である。
【００３１】
ガイドレール部２８は、第１部分２０のＺ１側の面に形成されている。ガイドレール部２８は、Ｙ１方向から見て、上方に向けて凸状に突出するように形成されている。ガイドレール部２８は、Ｙ方向に沿って、直線状に延びるように形成されている。ガイドレール部２８は、Ｙ１方向から見て、矩形状の断面形状を有している。ガイドレール部２８は、第１部分２０のレール嵌合部２６に嵌合するように構成されている。
【００３２】
第２係合部２９は、ガイドレール部２８に設けられている。第２係合部２９は、Ｙ方向に沿って２つ配置されている。具体的には、第２係合部２９は、Ｙ２側の第２係合部２９ａと、Ｙ１側の第２係合部２９ｂとを含んでいる。第２係合部２９ａおよび２９ｂの配置間隔は、第１係合部２７ａおよび２７ｂの配置間隔と等しい。第２係合部２９は、第１係合部２７と係合可能に構成されている。第２係合部２９ａは、ガイドレール部２８のＺ１側の面に形成され、底部２１に開口する貫通孔である。第２係合部２９ｂは、ガイドレール部２８のＺ１側の面に形成され、底部２１に開口しない非貫通孔（有底の孔）である。
【００３３】
ここで、第１係合部２７および第２係合部２９の係合状態の詳細について説明する。
【００３４】
図２および図３に示すように、第１係合部２７および第２係合部２９が第１係合状態で係合される第１の状態（図２参照）と、第１係合部２７および第２係合部２９が第２係合状態で係合される第２の状態（図３参照）とを切り替えることによって、充電器１は、セット部Ｓの水平方向の長さを第１の状態に対応する第１長さＬ１と、第２の状態に対応するとともに第１長さＬ１よりも大きい第２長さＬ２とに切り替え可能なように構成されている。第１の状態および第２の状態を切り替える場合には、第１部分２０および第２部分４０が一旦分離される。なお、第１の状態は、検知器５００を充電するための状態であり、第２の状態は、オプション部材５０１（図３参照）をＹ２側に取り付けた検知器５００を充電するための状態である。
【００３５】
具体的には、図２および図５に示すように、第１係合状態では、第１部分２０のＹ２側の第１係合部２７ａおよびＹ１側の第１係合部２７ｂが、それぞれ、第２部分４０のＹ２側の第２係合部２９ａおよびＹ１側の第２係合部２９ｂと係合する。言い換えると、第１係合状態では、第１部分２０の第１係合部２７ａおよび２７ｂと、第２部分４０の第２係合部２９ａおよび２９ｂとがそれぞれ係合する所定位置（第１係合位置）に、第１係合部２７ａおよび２７ｂと、第２係合部２９ａおよび２９ｂとが配置されている。第１係合状態において、第１部分２０および第２部分４０は、Ｙ２側の第１係合部２７ａおよびＹ２側の第２係合部２９ａに下方から固定部材５０を螺合することによって、固定される。固定部材５０には、たとえば、ネジを用いることができる。これにより、充電器１は、セット部ＳのＹ方向の長さが短い状態（検知器５００を充電する状態）である第１の状態に固定される。この状態では、セット部Ｓは、水平方向に第１長さＬ１を有している。
【００３６】
また、図３および図６に示すように、第２係合状態では、第１部分２０のＹ１側の第１係合部２７ｂが、第２部分４０のＹ２側の第２係合部２９ａと係合する。言い換えると、第２係合状態では、第１部分２０の第１係合部２７ｂと、第２部分４０の第２係合部２９ａとが係合する所定位置（第２係合位置）に、第１係合部２７ｂと第２係合部２９ａとが配置されている。第２係合状態において、第１部分２０および第２部分４０は、Ｙ１側の第１係合部２７ｂおよびＹ２側の第２係合部２９ａに下方から固定部材５０を螺合することによって、固定される。これにより、充電器１は、セット部ＳのＹ方向の長さが長い状態（オプション部材５０１を取り付けた検知器５００を充電する状態）である第２の状態に固定される。この状態では、セット部Ｓは、水平方向に第２長さＬ２を有している。
【００３７】
図１に示すように、充電器検出部３０は、検知器５００が充電器１にセットされたことを検出するように構成されている。
【００３８】
充電端子３１は、充電器検出部３０により検知器５００が充電器１にセットされたことが検出されると、検知器５００に電力を供給するように構成されている。
【００３９】
外部電源接続端子３２は、側部２４に設けられている。外部電源接続端子３２は、充電器１に電力を供給するためのＡＣアダプタ１００を取り付け可能に構成されている。また、外部電源接続端子３２には、単体使用時に用いられるＡＣアダプタ１００に代えて複数台連結時に用いられるＡＣアダプタ１１０（図７参照）を取り付けることが可能である。外部電源接続端子３２を介して、第１部分２０に設けられている充電部Ｃに電力が供給される。充電部Ｃは、充電端子３１を介して検知器５００に電力を供給する。
【００４０】
連結部３３は、上下方向（Ｚ方向）に延びるように第１部分２０の側部２２に形成されている。具体的には、連結部３３は、Ｙ方向に所定間隔を隔てて一対設けられている。一対の連結部３３に挟まれた空間（図５参照）は、Ｘ２方向に窪む凹部を構成している。
【００４１】
位置決め部３４は、充電器本体２の第１部分２０の側部２２に設けられている。位置決め部３４は、一対の連結部３３の上端部を接続している。位置決め部３４は、充電器本体２が他の充電器本体２ａと連結される際に（図７参照）、充電器本体２のスライド方向（Ｚ２方向）への移動を規制する。
【００４２】
接続端子３５は、Ｘ１側の側部２２に配置されている。接続端子３５は、連結部３３と位置決め部３４とに囲まれた領域に配置されている。
【００４３】
図４に示すように、連結部３６は、上下方向（Ｚ方向）に延びるように第１部分２０の側部２３に形成されている。具体的には、連結部３６は、Ｙ方向に所定間隔を隔てて一対設けられている。Ｙ方向の両端に一対の連結部３６を含む部分（図５参照）は、Ｘ２方向に突出する凸部を構成している。
【００４４】
接続端子３７は、Ｘ２側の側部２３に配置されている。接続端子３７は、一対の連結部３６に挟み込まれた領域に配置されている。
【００４５】
逃がし溝部３８は、充電器本体２の第１部分２０の側部２３に設けられている。逃がし溝部３８は、上下方向（Ｚ方向）に直線状に延びるように一対形成されている。逃がし溝部３８は、充電器本体２が他の充電器本体２ｂに対して相対的に上下方向にスライドする際に、他の充電器本体２ｂの接続端子３５が通過する位置に設けられている。
【００４６】
ＬＥＤ３９（図１参照）は、充電器本体２の上面に配置されている。ＬＥＤ３９は、充電状態などの各種動作状態に応じて点灯状態を切り替えるように構成されている。
【００４７】
図５に示すように、カバー５は、充電器本体２に取り付けられた状態（以下、カバー取付状態という）において、Ｘ２側の面に取付部５１を備えている。取付部５１は、Ｘ２方向に突出する凸部である。取付部５１は、充電器本体２のＸ１側の連結部３３と係合可能に構成されている。取付部５１は、充電器本体２のＸ２側の連結部３６と同様の形状を有している。
【００４８】
カバー６は、カバー取付状態において、Ｘ１側の面に一対の取付部６１を備えている。取付部６１は、充電器本体２のＸ２側の連結部３６と係合可能に構成されている。取付部６１は、充電器本体２のＸ１側の連結部３３と同様の形状を有している。一対の取付部６１に挟まれた空間は、Ｘ２方向に窪む凹部を構成している。
【００４９】
次に、充電器を他の充電器と連結させた場合（連結状態）について説明する。
【００５０】
図７に示す例は、充電器１に４つの他の充電器（１ａ〜１ｄ）が直接的または間接的に連結され、全体として、合計５つの充電器が連結されている例である。この際、充電器１または他の充電器１ａ〜１ｄのうち一つの充電器に、複数台連結用のＡＣアダプタ１１０が取り付けられる。
【００５１】
充電器１の充電器本体２は、図７に示すように、第１部分２０および第２部分４０により構成され、充電器１の充電器本体２と同一の構成を有する他の充電器本体２ａおよび２ｂと連結可能に構成されている。具体的には、充電器本体２の連結部３３と他の充電器本体２ａの連結部３６（図５参照）とを互いに係合させた状態で充電器本体２を他の充電器本体２ａに対して相対的に上下方向にスライドさせることにより、充電器１は、他の充電器１ａに対してＸ方向に隣接した状態で連結されるように構成されている。また、充電器本体２の連結部３６と他の充電器本体２ｂの連結部３３とを互いに係合させた状態で充電器本体２を他の充電器本体２ｂに対して相対的に上下方向にスライドさせることにより、充電器１は、他の充電器１ｂに対してＸ方向に隣接した状態で連結されるように構成されている。
【００５２】
また、図７の例では、他の充電器１ａおよび１ｂと同様に、他の充電器１ｃおよび１ｄは、それぞれ、他の充電器１ａの側部２２側（Ｘ１側）および他の充電器１ｂの側部２３側（Ｘ２側）に連結されている。
【００５３】
また、充電器１は、第１の状態（検知器５００を充電する状態）または第２の状態（オプション部材５０１を取り付けた検知器５００を充電する状態）のいずれの状態であっても、充電器本体２の連結部３３および３６（図５参照）を他の充電器本体２ａの連結部３６および３３のそれぞれに対して水平方向に交差する上下方向に相対的にスライドさせることにより、他の充電器２ａおよび２ｂとが連結可能に構成されている。また、充電器１に隣接する他の充電器１ａおよび１ｂが相対的にスライド移動する上下方向（Ｚ方向）と、充電器１が第１の状態と第２の状態に切り替わる方向（セット部Ｓの長さが変更される方向；Ｙ方向）と、充電器１、１ａおよび１ｂが隣接する方向（Ｘ方向）とは、互いに直交する関係にある。また、充電器１および他の充電器１ａ〜１ｄは、各々が第１の状態または第２の状態に関わらず、連結可能に構成されている。
【００５４】
本実施形態では、以下のような効果を得ることができる。
【００５５】
本実施形態では、上記のように構成することによって、床面やテーブルなどの水平な設置面９００により、セット部Ｓの長さを切り替え可能な充電器１を支持した状態（充電器１を平置き（横置き）にした状態）で充電を行うことができる。これにより、セット部Ｓの長さを第１の状態に対応する第１長さＬ１と、第２の状態に対応するとともに第１長さＬ１よりも大きい第２長さＬ２とに切り替えることができるとともに、かつ、安定した設置状態で充電器１の充電を行うことができる。
【００５６】
また、本実施形態では、第１部分２０および第２部分４０を第１の状態および第２の状態のそれぞれにおいて固定する固定部材５０を設ける。このように構成すれば、第１の状態および第２の状態のそれぞれの状態において、第１部分２０および第２部分４０を固定することができる。これにより、第１の状態または第２の状態から、第１部分２０および第２部分４０が意図せずにずれるのを抑制することができる。
【００５７】
また、本実施形態では、第２部分４０に凸状のガイドレール部２８を設け、ガイドレール部２８に第２係合部２９を設ける。また、第１部分２０にガイドレール部２８に嵌合するレール嵌合部２６を設け、レール嵌合部２６に第１係合部２７を設ける。このように構成すれば、第１の状態または第２の状態のいずれかの状態に切り替えられる際にレール嵌合部２６によってガイドレール部２８をガイドすることができる。これにより、第１係合状態または第２係合状態のいずれかの状態になるように第１係合部２７の位置および第２係合部２９の位置を容易に位置合わせすることができる。
【００５８】
また、本実施形態では、第１の状態または第２の状態のいずれの状態であっても、充電器本体２の連結部３３（３６）を他の充電器本体２ａ（２ｂ）の連結部３６（３３）に対して水平方向に交差する上下方向に相対的にスライドさせることにより、他の充電器１ａおよび１ｂと連結可能に充電器１を構成する。このように構成すれば、たとえば連結された第１の状態の充電器および第２の状態の充電器によって、サイズが異なる複数の可搬型ガス検知器５００を同時に充電することができる。また、セット部Ｓの長さが切り替えられる方向（水平方向）と、隣接する充電器１ａ（１ｂ）を連結する際のスライド方向（上下方向）とを異ならせることができる。これにより、可搬型ガス検知器の充電器１、１ａおよび１ｂが連結された状態において、セット部Ｓの長さを切り替えても、可搬型ガス検知器の充電器１、１ａおよび１ｂの連結状態が解除されるのを抑制することができる。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６０】
たとえば、上記実施形態の図７に示した例では、合計５つの充電器（１、１ａ〜１ｄ）が連結されている例を示したが、本発明はこれに限られない。本発明では、５つ以外の数の充電器が連結されていてもよい。
【００６１】
また、上記実施形態では、２つの状態（第１の状態、第２の状態）に切り替え可能な充電器１を示したが、本発明はこれに限られない。本発明では、３以上の状態に切り替え可能に充電器を構成してもよい。
【００６２】
また、上記実施形態では、第１部分２０および第２部分４０を一旦分離して、第１の状態および第２の状態を切り替える例を示したが、本発明はこれに限られない。本発明では、Ｙ方向にスライド移動可能なようにガイドレール部およびレール嵌合部を構成して、第１部分および第２部分の相対位置を変更するように構成してもよい。これにより、第１部分および第２部分を一旦分離しなくても、第１の状態および第２の状態を切り替ることができる。
【００６３】
また、上記実施形態では、第１部分２０および第２部分４０を第１の状態および第２の状態において固定する固定部材５０としてネジを用いた例を示したが、本発明はこれに限られない。本発明では、ネジ以外の、ピン状の固定部材により、第１部分および第２部分を第１の状態および第２の状態において固定してもよい。
【００６４】
また、上記実施形態では、第１係合部２７を含むレール嵌合部２６を第１部分２０に設け、第２係合部２９を含むガイドレール部２８を第２部分４０に設ける例を示したが、本発明はこれに限られない。本発明では、図８に示す変形例のように、第１係合部２７を含み、下方に凸状に突出するガイドレール部１２６を第１部分２０に設け、第２係合部２９を含み、下方に凹状に窪むレール嵌合部１２８を第２部分４０に設けてもよい。なお、図８は、第２の状態における第１部分２０の第１係合部２７ｂおよび第２部分４０の第２係合部２９ａに固定部材５０が挿入された状態を示した断面図である。
【００６５】
また、上記実施形態では、充電器１に対して他の充電器（１ａ〜１ｄ）をＸ方向に沿うように連結する例を示したが、本発明はこれに限られない。本発明では、充電器１に対して他の充電器をＹ方向に沿うように連結してもよい。また、充電器１に対して複数の他の充電器をＸ方向およびＹ方向に沿うように連結してもよい。
【００６６】
また、上記実施形態では、検知器５００が充電器本体２の長手方向（Ｙ方向）に沿って充電器１にセットされる例を示したが、本発明はこれに限られない。本発明では、検知器が充電器本体の短手方向（Ｘ方向）に沿って充電器にセットされてもよい。
【００６７】
また、上記実施形態では、外部電源接続端子３２が、連結部３３（３６）を含む側部２２（２３）と異なる側部２４に設けられている例を示したが、本発明はこれに限られない。本発明では、外部電源接続端子が、連結部を含む側部と同じ側部に設けられていてもよい。その場合、複数の充電器が連結された状態（図７参照）では、複数の充電器の配列方向（Ｘ方向）における端部に位置する充電器（１ｃまたは１ｄ）の外部電源接続端子にＡＣアダプタが取り付けられる。
【００６８】
また、上記実施形態では、外部電源接続端子３２から電力が供給される充電部Ｃを第１部分２０に設ける例を示したが、本発明はこれに限られない。本発明では、外部電源接続端子から電力が供給される充電部を第２部分に設けてもよい。
【符号の説明】
【００６９】
１  可搬型ガス検知器の充電器
１ａ〜１ｄ  他の充電器
２  充電器本体
２ａ〜２ｄ  他の充電器本体
２０  第１部分
２１  底部
２２〜２４  側部
２６、１２８  レール嵌合部
２７、２７ａ、２７ｂ  第１係合部
２８、１２６  ガイドレール部
２９、２９ａ、２９ｂ  第２係合部
３２  外部電源接続端子
３３、３６  連結部
４０  第２部分
５０  固定部材
５００  可搬型ガス検知器
９００  設置面
Ｌ１  第１長さ
Ｌ２  第２長さ
Ｓ  セット部
【図１】
0006453656.tif 000002
【図２】
0006453656.tif 000003
【図３】
0006453656.tif 000004
【図４】
0006453656.tif 000005
【図５】
0006453656.tif 000006
【図６】
0006453656.tif 000007
【図７】
0006453656.tif 000008
【図８】
0006453656.tif 000009